(57)【特許請求の範囲】
【請求項１】
シート状の熱収縮性を有するラベル部材の両端部を重ね合わせて接合し、接合部を形成した筒状のラベル部材をボトルの外周面に熱収縮させて装着する透明な基材に印刷を施したボトル用ラベルであって、
前記接合部以外の主印刷部と、
前記接合部の外側に位置する第１の接合部に設けられた第１印刷部と、
前記接合部の内側に位置する第２の接合部に設けられた第２印刷部と、
を有し、
前記主印刷部および前記第１印刷部には前記表側を読取面として印刷するとともに、
前記第２印刷部には前記ボトル側を読み取り面として文字印刷を行い、
前記接合部の第２印刷部の文字を覆うように第１印刷部に面状のベタ印刷を行い、
前記ボトル用ラベルの前記接合部の近傍外側両側に平行方向に２本のミシン目が施してあり、
該接合部をミシン目により該接合部を切り取ることにより、前記第２印刷部の文字印刷が確認できる
ことを特徴とするボトル用ラベル。
【請求項２】
前記第２印刷部が、メッセージである
請求項１記載のボトル用ラベル。
【請求項３】
前記主印刷部、前記第１印刷部および前記第２印刷部が前記ボトル側から印刷され、
前記ベタ印刷が前記主印刷部および前記第１印刷部の上に重ねて印刷されている
請求項1または２記載のボトル用ラベル。
【発明の詳細な説明】
【技術分野】
【０００１】
本発明は、内容物等の情報を表示し、ボトルの外表面に巻き付けて取り付けるボトル用ラベルに関する。
【背景技術】
【０００２】
近年、環境保護の観点および省エネのためのリサイクルの観点から、内容物等の情報を表示しボトルの外表面に巻き付けて取り付けられているボトル用ラベルは、ボトルおよびボトル用ラベルの分別回収を容易にするために、容易に取り外すことができるように、例えば切断位置にミシン目等を設けてボトル用ラベルを取り外しやすくしている。
【０００３】
また、ボトル用ラベルに記載される商品名や商品に関する情報が多量化して、ボトル用ラベルに記載が困難になるような場合には、ボトル用ラベルの一部を重ねて貼り付けるようにして、記載できる情報量を増すことが行われている（例えば、特許文献１、２参照）。
【０００４】
また、ボトル用ラベルへの印刷には、使用者が使用後に、ボトルおよびラベルを分別回収する気持ちを起こさせるような工夫が成されている（例えば、特許文献３参照）。
特許文献３に記載の印刷方法では、ボトル用ラベルに、硬貨を構成する金属より硬度の高い材料を含むインキ組成物で印刷し、この印刷部分を硬貨により擦過して硬貨の削られた金属により、当否の判定画像が浮き出るようなくじ付きのボトル用ラベルが提案されている。
【先行技術文献】
【特許文献】
【０００５】
【特許文献１】実用登録−３０２９５７４号公報（第１図）
【特許文献２】特開２００４−２５１９６６号公報（第１図）
【特許文献３】特開２００２−５５６１３号公報（第１図）
【発明の概要】
【発明が解決しようとする課題】
【０００６】
しかしながら、前述したような特許文献３に記載のボトル用ラベルにおいては、ボトルに貼り付けられた際に外表面となる側に印刷が行われているため、ボトルが他の物と擦れた場合に、他の物を汚したり、インクや塗料のゴミが生じたりするという問題がある。
また、使用者が使用後に、ボトルおよびラベルを分別回収する気持ちを起こさせるような印刷を行うことも可能であるが、さらなる工夫も望まれている。
【０００７】
そこで、本発明は上記問題点に鑑みなされたものであって、使用後に、使用者にボトルおよびボトル用ラベルを分別回収する気持ちを起こさせることができるようなボトル用ラベルを提供することを目的とする。
【課題を解決するための手段】
【０００８】
上記課題を解決するために、本発明のボトル用ラベルは、シート状の熱収縮性を有するラベル部材の両端部を重ね合わせて接合し、接合部を形成した筒状のラベル部材をボトルの外周面に熱収縮させて装着する透明な基材に印刷を施したボトル用ラベルであって、前記接合部以外の主印刷部と、前記接合部の外側に位置する第１の接合部に設けられた第１印刷部と、前記接合部の内側に位置する第２の接合部に設けられた第２印刷部と、を有し、前記主印刷部および前記第１印刷部には前記表側を読取面として印刷するとともに、前記第２印刷部には前記ボトル側を読み取り面として文字印刷を行い、前記接合部の第２印刷部の文字を覆うように第１印刷部に面状のベタ印刷を行い、前記接合部の端部からラベルを切り取るものである。
【０００９】
この構成により、ボトル用ラベルは、シート状の熱収縮性を有するラベル部材の両端部を重ね合わせて接合し、接合部を形成した筒状のラベル部材をボトルの外周面に熱収縮させて装着するので、ボトルの形状に対応して、容易に密着して装着することができる。
【００１０】
また、透明なラベル部材の接合部以外の場所に設けられた主印刷部および接合部の外側に位置する第１の接合部に設けられた第１印刷部は、表側を読取面として印刷されているので、表側から印刷物を読み取ることができる。
【００１１】
また、接合部の内側に位置する第２の接合部に設けられた第２印刷部は、ボトル側を読み取り面として印刷されているので、表側から見ると、文字等が裏返しに読み取られるが、第１印刷部には、第２印刷部を覆う面状のベタ印刷が行われているので、第１印刷部と第２印刷部とが重なって読み取られることはなく、第１印刷部は表側から正常に読み取られる。
【００１２】
さらに、接合部の端部からラベルを切り取れる構成にしたので、第１印刷部には接合部端部からラベルを切断する旨の表示があるとボトル用ラベルを容易に切断してボトルから取り外すことができる。このとき、第２印刷部を、ボトル用ラベルの裏側から読み取ることができるので、第２印刷部に分別回収を促す記載をすることで、使用者にボトルおよびラベルを分別回収する気持ちを起こさせることができる。
【００１３】
また、本発明のボトル用ラベルは、前記第２印刷部が、メッセージである構成を有している。
【００１４】
この構成により、ボトル用ラベルを接合部に沿って切断してボトルから取り外す際に、第２印刷部に印刷されているメッセージを、ボトル用ラベルの裏側から読み取ることができるので、使用者にボトルおよびラベルを分別回収する気持ちを起こさせることができる。
【００１５】
また、本発明のボトル用ラベルは、前記主印刷部、前記第１印刷部および前記第２印刷部が前記ボトル側から印刷され、前記ベタ印刷が前記主印刷部および前記第１印刷部の上に重ねて印刷されている構成を有している。
【００１６】
この構成により、主印刷部、第１印刷部および第２印刷部がボトル側から印刷されているので、ボトル用ラベルの表面が他の物に接触したり擦ったりしても印刷が剥がれない。
【００１７】
また、主印刷部および第１印刷部の上に重ねてベタ印刷が行われているので、表側からは第１印刷部が明確に読み取ることができ、ボトルから取り外した際には，ベタ印刷で重ねられて読み取ることが出来なかった第２印刷部を裏側から明確に読み取ることができる。
なお、第２印刷部上にはベタ印刷はされていない。
【００１８】
さらに、本発明のボトル用ラベルは、前記ボトル用ラベルの前記接合部の近傍外側両側に平行方向に２本のミシン目が施してあり、該接合部をミシン目により該接合部を切り取ることにより、前記第２印刷部のメッセージが確認できる構成を有している。
【００１９】
この構成により、接合部の近傍の両外側に２本のミシン目が設けられているので、第１印刷部にはミシン目からラベルを切断する旨の表示があるとより分かりやすく、接合部を切り取ってボトル用ラベルを剥がすことができる。これにより、第２印刷部が裏側から読取可能となるので、第２印刷部に記載されているメッセージを読み取ることができ、使用者にボトルおよびラベルを次回も分別回収する気持ちを起こさせることができる。
【発明の効果】
【００２０】
本発明によれば、接合部以外の場所に設けられた主印刷部および接合部の表側に位置する第１印刷部は、表側を読取面として印刷され、第１印刷部のボトル側に位置する第２印刷部はボトル側を読み取り面として印刷されているが、第１印刷部には、第２印刷部を覆う面状のベタ印刷が行われているので、第１印刷部と第２印刷部とが重なって読み取られることはなく、第１印刷部は表側から正常に読み取られる。また、接合部の端部からラベルを切り取れる構成にしたので、第１印刷部には接合部端部からラベルを切断する旨の表示があるとボトル用ラベルを容易に切断してボトルから取り外すことができる。このとき、第２印刷部を、ボトル用ラベルの裏側から読み取ることができるので、第２印刷部に分別回収を促す記載をすることで、使用者にボトルおよびラベルを分別回収する気持ちを起こさせることができるという効果を有するボトル用ラベルを提供することができるものである。
【図面の簡単な説明】
【００２１】
【図１】ボトルに装着したボトル用ラベルを取り外す状態を示す全体斜視図である。
【図２】（Ａ）はボトル用ラベルの正面図であり、（Ｂ）は（Ａ）中Ｂ方向から見た平面図である。
【図３】ボトル用ラベルを巻装した状態を示す平面図である。
【図４】巻装されたボトル用ラベルをミシン目から切り離す状態を示す斜視図である。
【発明を実施するための形態】
【００２２】
以下、添付図面を参照して、本発明を実施するための形態（以下、実施形態）について詳細に説明する。なお、実施形態の説明の全体を通して同じ要素には同じ番号を付している。
【００２３】
図１に示すように、本発明に係る実施形態のボトル用ラベル１０は、例えばペットボトル等のボトル１の胴部２に装着されるものであり、商品名、成分、製造年月日、製造者等の情報を印刷して表示している。
なお、以下の説明において、ボトル用ラベル１０の表側とは、ボトル１に装着された状態でボトル１とは反対側すなわち外側となる側を云い、裏側とはボトル１に面する側を云うこととする。
【００２４】
図２に示すように、ボトル用ラベル１０は、例えば矩形状のシート状の透明な基材であるラベル部材２０を有しており、ボトル１への巻装方向両端部（図２において左右両端部）には接合部２３を形成する第１の接合部２１および第２の接合部２２を有し、第１の接合部２１と第２の接合部２２との間には主要部２４を有する。
【００２５】
なお、ラベル部材２０は、透明で熱収縮性を有するシュリンク樹脂フィルム製が望ましい。シュリンク樹脂フィルムとしては、例えば、ポリプロピレンフィルム、ポリエステルフィルム、ポリスチレンフィルム、ポリ塩化ビニルフィルム、ポリエチレンフィルム、及びこれらのフィルムを貼り合せた多層フィルム等が例示できる。
【００２６】
図３には、図２（Ｂ）中矢印Ｃ方向へ丸めて筒状に形成されたボトル用ラベル１０が示されている。
図３に示すように、第１の接合部２１は表側（外側）に位置し、第２の接合部２２は第１の接合部２１の裏側（ボトル１側）に位置する。そして、第１の接合部２１の裏側と第２の接合部２２の表側が接合されて接合部２３を形成する。
【００２７】
図２に示すように、接合部２３の少なくとも一方の端部、すなわち第１の接合部２１の端部および第２の接合部２２の端部には、接合部２３と平行である上下方向にミシン目２４１，２４２が設けられている。
なお、ここでは、接合部２３の両側、すなわち第１の接合部２１の端部および第２の接合部２２の端部の両方にミシン目２４１，２４２が設けられている場合について説明する。
【００２８】
第１の接合部２１には第１印刷部３２が設けられ、第２の接合部２２には第２印刷部３３が設けられる。また、第１の接合部２１と第２の接合部２２の間の主要部２４には主印刷部３１が設けられる。主に主印刷部３１に前述した商品名、成分、製造年月日、製造者等の情報が印刷される。
主印刷部３１および第１印刷部３２は、表側を読取面として印刷されており、表側（図２（Ｂ）中矢印Ａ方向）からボトル１を見たときに印刷は正常に読み取られる。
【００２９】
さらに、少なくとも第１印刷部３２には、筒状に形成された状態で第２印刷部３３を覆う面状のベタ印刷３４が施されている。
なお、ここでは、主印刷部３１の略全面にもベタ印刷３４１が行われている場合について説明する。
しかし、ボトル内の残量の確認、ボトル内の内容物の具材が直接見えるようにベタ印刷において一部を省略するデザインを採用することは言うまでもない。
また、ベタ印刷３４、３４１としては、文字やデザインとの関係にもよるが一般的には白色等の薄い色が望ましい。
【００３０】
従って、主印刷部３１および第１印刷部３２を表側から見た場合には、主印刷部３１および第１印刷部３２は正常に読み取られるとともに、ベタ印刷３４，３４１の作用により、主印刷部３１および第１印刷部３２の裏側（ボトル１側）は見えない。
【００３１】
一方、第２印刷部３３は、ボトル１側（すなわち、裏側）を読み取り面として印刷されており、裏側から見たとき（図２（Ｂ）中矢印Ｂ方向）に印刷は正常に読み取られ、表側から見えたとしたら（図２（Ｂ）中矢印Ａ方向）印刷は裏返しになっている。
【００３２】
第２印刷部３３は、ラベル部材２０の表裏どちらの面に印刷していても、第１接合部２１が表面側を覆うためボトル用ラベル１０を擦っても汚れない。このため、表裏どちらの面に印刷しても良いが、裏面に印刷することにより、主印刷部３１および第１印刷部３２と同時に印刷できる。このとき、第２印刷部３３は、主印刷部３１および第１印刷部３２とは裏返しに印刷される。
【００３３】
第２印刷部３３は、ボトル１およびボトル用ラベル１０の分別回収を促すようなメッセージとすることが望ましい。
例えば、「分別回収にご協力有り難うございます。」、「分別にご協力ください。」等の文言を印刷することができるが、ラベル部材２０の裏面に印刷する場合には、前述したように印刷は裏返した文字となる。
【００３４】
図３に示すように、筒状に接合されたラベル部材２０をボトル１に被せた状態では、接合部２３においては、第２印刷部３３が最も内側に位置し、ラベル部材２０の第２の接合部２２を挟んで第１印刷部３２のベタ印刷３４、次いで第１印刷部３２、最も外側にラベル部材２０の第１の接合部２１が位置する。
このため、外側から接合部２３を見ると、第１の接合部２１を通して第１印刷部３２が読み取られるが、第１印刷部３２の内側にはベタ印刷３４が印刷されているので、第２印刷部３３は読み取れない。
【００３５】
ラベル部材２０をボトル１に取り付ける際には、筒状のラベル部材２０をボトル１の胴部２の外周面に被せ、熱収縮性を有するシュリンク樹脂フィルム製であるラベル部材２０を加熱して収縮させ、ボトル１に装着する。
この際、ラベル部材２０の上端部が、ボトル１の胴部２よりも上の肩部３（図１参照）にかかるようにすることにより、ラベル部材２０の下方への脱落を防止できる。
【００３６】
また、ボトル用ラベル１０をボトル１から取り外す際には、ミシン目２４１，２４２で挟まれた接合部２３を上端から（図１参照）あるいは下端から（図４参照）ミシン目２４１，２４２に沿って切断して引き剥がす。
【００３７】
以上、説明した本発明にかかる実施形態のボトル用ラベル１０によれば、ボトル用ラベル１０は、シート状の熱収縮性を有するラベル部材２０の両端部を重ね合わせて接合し、接合部２３を形成した筒状のラベル部材２０をボトル１の外周面に熱収縮させて装着するので、ボトル１の形状に対応して、容易に密着して装着することができる。
【００３８】
また、透明なラベル部材２０の接合部２３以外の場所に設けられた主印刷部３１および接合部２３の外側に位置する第１の接合部２１に設けられた第１印刷部３２は、表側を読取面として印刷されているので、表側から印刷物を読み取ることができる。
【００３９】
また、接合部２３の内側に位置する第２の接合部２２に設けられた第２印刷部３３は、ボトル１側を読み取り面として印刷されているので、表側から見ると、文字等が裏返しに読み取られるが、第１印刷部３２には、第２印刷部３３を覆う面状のベタ印刷３４が行われているので、第１印刷部３２と第２印刷部３３とが重なって読み取られることはなく、第１印刷部３２は表側から正常に読み取られる。
【００４０】
さらに、ラベルの上部あるいは下部の接合部、接合部の近傍の端部からラベルを切り取れるような構造としてあるので、ボトル用ラベル１０を容易に切断してボトル１から取り外すことができる。このとき、第２印刷部３３を、ボトル用ラベルの裏側から読み取ることができるので、第２印刷部３３に分別回収を促す記載をすることで、使用者にボトル１およびボトル用ラベル１０を次回も分別回収する気持ちを起こさせることができる。
【００４１】
また、本発明のボトル用ラベル１０によれば、ボトル用ラベル１０をミシン目２４１，２４２に沿って切断してボトル１から取り外す際に、第２印刷部３３に印刷されているメッセージを、ボトル用ラベル１０の裏側から読み取ることができる（図４参照）ので、使用者にボトル１およびボトル用ラベル１０を次回もまた分別回収する気持ちを起こさせることができる。
【００４２】
また、本発明のボトル用ラベル１０によれば、主印刷部３１、第１印刷部３２および第２印刷部３３が裏側から印刷されているので、ボトル用ラベル１０の表面を擦っても印刷が剥がれない。
また、第１印刷部３２および主印刷部３１の上に重ねてベタ印刷３４１が行われているので、第１印刷部３２と第２印刷部３３とがベタ印刷３４により分離されている。このため、表側からは第１印刷部３２が明確に読み取ることができ、ボトル１から取り外した後は，第２印刷部３３を裏側から明確に読み取ることができる（図４参照）。
【００４３】
また、本発明のボトル用ラベル１０によれば、接合部２３の近傍の両側に２本のミシン目２４１，２４２が設けられているので、接合部２３を切り取ることができる。これにより、接合部２３の裏面がわから第２印刷部３３が読取可能となるので、第２印刷部３３に記載されているメッセージを読み取ることができ、使用者にボトル１およびボトル用ラベル１０を次回もまた分別回収する気持ちを起こさせることができる。
【００４４】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００４５】
例えば、前述した実施形態においては、ラベル部材２０の両端にミシン目２４１，２４２を設けることにより、接合部２３の両側にミシン目２４１，２４２を設けた場合について説明したが、一方にのみミシン面を設けることも可能である。
また、前述した実施形態においては、ミシン目２４１，２４２をボトル１の上下に沿って真っ直ぐに設けたが、斜めに設けたり、曲線状に設けることも可能である。
さらに、ボトル用ラベル１０の切り取りは、ミシン目２４１，２４２を用いずに、ボトル用ラベル１０の接合部２３の両側端面にＶ字カットを設けたり、あるいは、ボトル用ラベル１０の接合部２３の端部より少し中心側に位置した場所に接合部２３の幅より大なる指かけの穴を設けて接合部２３を引き裂いてボトル用ラベル１０を切り取ることも可能である。
【符号の説明】
【００４６】
１  ボトル
１０  ボトル用ラベル
２０  ラベル部材（基材）
２１  第１の接合部
２２  第２の接合部
２３  接合部
２４１，２４２  ミシン目
３１  主印刷部
３２  第１印刷部
３３  第２印刷部
３４，３４１  ベタ印刷
【図１】
0005480095.tif 000002
【図２】
0005480095.tif 000003
【図３】
0005480095.tif 000004
【図４】
0005480095.tif 000005